(57)【特許請求の範囲】
【請求項１】
エアゾール式製品またはポンプ式製品の容器本体部およびその上側の操作部の全体を保護し、かつ、この全体を上下方向に移動させて当該操作部の収納・露出状態を選択する内容物放出製品用カバー機構において、
前記操作部を保護する上保護カバーと、
前記上保護カバーとの間の相対的な回動操作が可能な形で設定されて前記容器本体部を保護する下保護カバーと、
前記容器本体部を保持して前記上下方向に移動可能な保持移動部材と、を備え、
前記下保護カバーおよび前記上保護カバーは、
その一方が、前記回動操作にともなって前記保持移動部材を前記上下方向へ移動させるための第一のカム作用部を有し、
その他方が、当該回動操作にともなう当該保持移動部材の回動を阻止して前記上下方向への移動を許容する回動阻止部を有し、
前記保持移動部材は、
前記第一のカム作用部に倣う第二のカム作用部ならびに前記回動阻止部の回動阻止作用および上下動許容作用を受ける被回動阻止部を有し、
前記第一のカム作用部および前記第二のカム作用部の一方は、
溝状部であって、
前記保持移動部材を前記上下方向へ移動させるための斜め部分と、
当該斜め部分の両端からそれぞれの外側周方向に連続形成されて当該保持移動部材の当該上下方向への移動を生じない上側横部分および下側横部分と、を有し、
前記上側横部分および前記下側横部分は、
前記斜め部分との、当該下側横部分の天井面境界部分および当該上側横部分の底面境界部分に形成されて前記第一のカム作用部および前記第二のカム作用部の他方との協働作用により前記回動操作の開始段階および終了段階を利用者に示すための、上下方向に凸状のクリック感生成部を有している、
ことを特徴とする内容物放出製品用カバー機構。
【請求項２】
前記操作部および前記上保護カバーは、
その一方に係合部を、その他方に被係合部をそれぞれ有し、
当該操作部が当該上保護カバーの内部空間域に収納保護された状態において、当該係合部および当該被係合部の係合作用により当該操作部の内容物放出操作方向への移動が阻止される、
ことを特徴とする請求項１記載の内容物放出製品用カバー機構。
【請求項３】
請求項１または２記載の内容物放出製品用カバー機構を備え、
前記容器本体部に放出対象内容物を収容した、
ことを特徴とするポンプ式製品。
【請求項４】
請求項１または２記載の内容物放出製品用カバー機構を備え、
前記容器本体部に噴射用ガスおよび放出対象内容物を収容した、
ことを特徴とするエアゾール式製品。
【発明の詳細な説明】
【技術分野】
【０００１】
本発明は、容器本体に対応した下保護カバーと操作部に対応した上保護カバーとからなり、エアゾール式製品またはポンプ式製品の全体を保護し、かつ、当該製品の全体をカム作用により上下方向に移動させて当該操作部の収納・露出状態を選択しえる内容物放出製品用カバー機構（以下、必要に応じて単に「カバー機構」という）に関する。
【０００２】
本明細書においては、カム作用の駆動側および従動側の双方を含む意で「カム作用部」といい、また、必要に応じて従動側のカム作用部を「カム倣い部」という。
【０００３】
ここでエアゾール式製品またはポンプ式製品を保持する保持移動部材が、上保護カバーと下保護カバーとの間の相対的な回動操作にともなう例えば下保護カバーとのカム作用により上下動する。
【０００４】
特に、保持移動部材を上下方向に移動させるためのカム作用部（例えば溝状部）を、この上下動用の本来のカム作用域としての斜め部分と、その両端に形成された（保持移動部材の上下動には何ら寄与しない）横部分とで構成したものである。
【０００５】
この横部分に相手のカム作用部（例えば凸状カム倣い部）が位置することにより、エアゾール式製品，ポンプ式製品は、その最上で操作部が露出した静止モード・作動モード位置と、その最下で操作部が収納された製品保護モード位置とに、確実にロックされる。
【０００６】
また、上保護カバーと下保護カバーとの間の相対的な回動操作により保持移動部材などのカム作用部（カム倣い部）がこの横部分から上下動態様の斜め部分に移行する際にはクリック感を利用者に与え、操作上の利便性を確保している。
【０００７】
また、携帯時などで操作部が上保護カバーに収納された製品保護モードのときには当該操作部をロックして不用意な作動モード設定操作（押下げ操作など）が阻止されるようにし、内容物放出の誤動作を防止している。
【背景技術】
【０００８】
従来、下保護カバーおよび上保護カバーからなり、その内部にエアゾール式製品を保護し、かつ、上下保護カバー間の回動操作にともなう製品の上下動により操作部の収納・露出状態を選択しえるカバー機構が提案されている（特許文献１参照）。
【０００９】
このカバー機構の場合、カム作用溝状部としては、エアゾール式製品を上下動させるための斜め溝状部が形成されているだけである。
【００１０】
この斜め溝状部の両端から外側周方向に、エアゾール式製品の上下動には何ら関与しない横溝状部を設けて、当該製品を、その最上位置の静止・作動モードおよび最下位置の製品保護モードにそれぞれロックすることなどは何ら考慮されていない。
【００１１】
また、カバー機構のカム作用溝状部（駆動部）に対するカム倣い部として、エアゾール式製品の外周面に設けた係合子を用いている。
【先行技術文献】
【特許文献】
【００１２】
【特許文献１】実開昭５２−１５５２１７号公報
【発明の開示】
【発明が解決しようとする課題】
【００１３】
このように従来の上保護カバーおよび下保護カバーからなる内容物放出製品用カバー機構では、その内部に配設した係合子付きのエアゾール式製品を上下方向に移動させるためのカム作用部として、当該上下動にいわば直結する斜め溝状部を用いるだけである。
【００１４】
そのため、カバー機構の保持対象であるエアゾール式製品，ポンプ式製品は、その最上位置（静止，作動モード）や最下位置（製品保護モード）にロックされず、これらの位置から不意に移動してしまうという問題点があった。
【００１５】
すなわち、カバー機構の内部に操作部までの全体を収納したはずのエアゾール式製品，ポンプ式製品が上保護カバーから飛び出したり、静止・作動モード位置に設定した操作部（の一部）が上保護カバーの方に入り込んだりするなどの問題点があった。
【００１６】
そこで、本発明では内容物放出製品用カバー機構の上保護カバーおよび下保護カバー間の回動操作に基づく上下動用の斜めカム作用部の両側に、エアゾール式製品などをその上位置と下位置とに個々にロックするための横部分（横カム作用部）を設けている。
【００１７】
これにより、カバー機構に保持されたエアゾール式製品，ポンプ式製品をそれぞれの上位置（静止，作動モード）および下位置（製品保護モード）に確実に設定することを目的とする。
【００１８】
また、エアゾール式製品やポンプ式製品を保持する保持移動部材などのカム作用部が、回動操作によりこの横部分から斜め部分に移行する際や、逆に斜め部分から横部分に入り込んだ際にクリック感を利用者に与えて、操作内容の無意識で確実な把握化を図ることを目的とする。
【００１９】
また、操作部が上保護カバーに収納された製品保護モードのときには当該操作部をロックして、内容物放出操作の誤動作防止化を図ることを目的とする。
【課題を解決するための手段】
【００２０】
本発明は、以上の課題を次のようにして解決する。
（１）エアゾール式製品またはポンプ式製品の容器本体部（例えば後述の容器本体１＋マウンティングカップ２）およびその上側の操作部（例えば後述の操作部５）の全体を保護し、かつ、この全体を上下方向に移動させて当該操作部の収納・露出状態を選択する内容物放出製品用カバー機構において、
前記操作部を保護する上保護カバー（例えば後述の上保護カバー７）と、
前記上保護カバーとの間の相対的な回動操作が可能な形で設定されて前記容器本体部を保護する下保護カバー（例えば後述の下保護カバー６）と、
前記容器本体部を保持して前記上下方向に移動可能な保持移動部材（例えば後述の保持移動部材８）と、を備え、
前記下保護カバーおよび前記上保護カバーは、
その一方（例えば後述の下保護カバー６）が、前記回動操作にともなって前記保持移動部材を前記上下方向へ移動させるための第一のカム作用部（例えば後述のカム溝状部６ａ）を有し、
その他方（例えば後述の上保護カバー７）が、当該回動操作にともなう当該保持移動部材の回動を阻止して前記上下方向への移動を許容する回動阻止部（例えば後述の縦溝状部７ａ）を有し、
前記保持移動部材は、
前記第一のカム作用部に倣う第二のカム作用部（例えば後述の被ガイド凸状部８ｃ）ならびに前記回動阻止部の回動阻止作用および上下動許容作用を受ける被回動阻止部（例えば後述の縦リブ状部８ｄ）を有し、
前記第一のカム作用部および前記第二のカム作用部の一方は、
溝状部（例えば後述のカム溝状部６ａ）であって、
前記保持移動部材を前記上下方向へ移動させるための斜め部分（例えば後述の斜め溝状部６ｄ）と、
当該斜め部分の両端からそれぞれの外側周方向に連続形成されて当該保持移動部材の当該上下方向への移動を生じない上側横部分（例えば後述の上横溝状部６ｃ）および下側横部分（例えば後述の下横溝状部６ｂ）と、を有し、
前記上側横部分および前記下側横部分は、
前記斜め部分との、当該下側横部分の天井面境界部分および当該上側横部分の底面境界部分に形成されて前記第一のカム作用部および前記第二のカム作用部の他方との協働作用により前記回動操作の開始段階および終了段階を利用者に示すための、上下方向に凸状のクリック感生成部（例えば後述のクリック感生成部６ｅ）を有した、
構成態様のものを用いる。
（２）上記（１）において、
前記操作部および前記上保護カバーは、
その一方（例えば後述の操作部５）に係合部（例えば後述の内側環状逆段部５ｃ）を、その他方（例えば後述の上保護カバー７）に被係合部（例えば後述の外側環状段部７ｄ）をそれぞれ有し、
当該操作部が当該上保護カバーの内部空間域に収納保護された状態において、当該係合部および当該被係合部の係合作用により当該操作部の内容物放出操作方向への移動が阻止される、
構成態様のものを用いる。
【００２１】
このような構成からなる内容物放出製品用カバー機構ならびにこの内容物放出製品用カバー機構を備えたエアゾール式製品およびポンプ式製品を本発明の対象としている。
【発明の効果】
【００２２】
本発明はこのように、
(11)カバー機構に保持されたエアゾール式製品，ポンプ式製品をそれぞれの上位置（静止，作動モード）と下位置（製品保護モード）とに確実にロックでき、
(12)このロック状態への設定およびロック状態の解除それぞれの回動操作の無意識で確実な把握化を図ることができ、
(13)製品保護モードにおける内容物放出操作の誤動作防止化を図ることができる、
といった効果を奏している。
【図面の簡単な説明】
【００２３】
【図１】例えばエアゾール式製品の全体がカバー機構（上保護カバー＋下保護カバー）に収納された製品保護モードを示す説明図である。
【図２】上保護カバーに対する下保護カバーの回動操作により図１の収納状態のエアゾール式製品が上方向に移動していく製品上動モードを示す説明図である。
【図３】図２の回動操作後にエアゾール式製品の作動モード設定用の操作部が上保護カバーの上方に露出して内容物噴射操作（操作部の押下げ操作）が可能な静止モードを示す説明図である。
【図４】図３の操作部の押下げ操作により容器本体内容物が外部空間域に噴射される作動モードを示す説明図である。
【発明を実施するための形態】
【００２４】
図１乃至図４を用いて本発明を実施するための形態を説明する。
【００２５】
なお、本発明の内容物放出製品用カバー機構は上述のように、エアゾール式製品およびポンプ式製品の双方を対象としているが、以下の図示した実施形態においては単なる説明の便宜上、原則的にエアゾール式製品を前提とする。
【００２６】
また、同じように単なる説明の便宜上、
(21)上保護カバー７を固定して下保護カバー６を回動操作し、
(22)下保護カバー６のカム溝状部６ａを駆動側のカム作用部として用い、保持移動部材８の被ガイド凸状部８ｃをカム倣い部として用いる、
ことを前提とする。
【００２７】
以下のアルファベット付き参照番号の構成要素（例えばカム溝状部６ａ）は原則として、当該参照番号の数字部分の構成要素（例えば下保護カバー６）の一部であることを示している。
【００２８】
図１〜図４において、
１は放出対象の内容物および噴射用ガスが収容された容器本体，
２は容器本体１の上端開口部に固定された周知のマウンティングカップ，
２ａは当該マウンティングカップの外下端側の環状部分に形成された周知のアンダーカット，
３は利用者の内容物噴射操作と連動して、容器本体１に収容済みの内容物を外部空間域に噴射するためのバルブ作用を呈する周知のステム，
をそれぞれ示している。
【００２９】
また、
４はマウンティングカップ２に保持されてステム３の下側部分を収容し、かつ、噴射対象内容物が内部空間を通過する周知のハウジング，
５はステム３の上端側に取り付けられて内容物の上流側通路部を有する押下げタイプの操作部，
５ａは操作部５の内容物流出側に取り付けられたノズルチップ，
５ｂはノズルチップ５ａの下流側通路部の先端部分に形成された外部空間域への内容物噴射用の放出口，
５ｃは当該操作部の上面の環状外端側に形成されて、図１の製品保護モードのとき、後述の外側環状段部７ｄとの係合作用により当該操作部の下動を阻止するための内側環状逆段部，
をそれぞれ示している。
【００３０】
また、
６はエアゾール式製品の容器本体側下部を保護する鞘状で底面部付きの下保護カバー，
６ａは当該下保護カバーの内周面に形成されて、後述の上保護カバー７に対する下保護カバー回動操作により、後述の保持移動部材８およびこれと一体のエアゾール式製品を上下動させるための計三個のカム溝状部，
６ｂはカム溝状部６ａそれぞれの下端周方向部分を構成する下側開口の下横溝状部，
６ｃはカム溝状部６ａそれぞれの上端周方向部分を構成する上側開口の上横溝状部，
６ｄは下横溝状部６ｂと上横溝状部６ｃとの間に連続形成された斜め溝状部，
６ｅは斜め溝状部６ｄとの、下横溝状部６ｂの天井面境界部分および上横溝状部６ｃの底面境界部分に形成されて、図１と図３との間の回動操作の開始および終了の各段階で後述の被ガイド凸状部８ｃに当接して乗り越えることにより、利用者に回動操作開始，終了感を与えるための凸状のクリック感生成部，
６ｆは当該下保護カバーの上端側内周面に形成されて、後述の上保護カバー７に対する周方向への相対的回動が可能な形で後述の内側環凸状部７ｂと係合する外側環凹状部，
６ｇは当該下保護カバーの内面周方向に形成されて、図１の製品保護モードにおける後述の保持移動部材８の環状下端面部分を受けることにより、下横溝状部６ｂに移動した後述の被ガイド凸状部８ｃの上下方向位置を規制する環状の内側中間段部，
をそれぞれ示している。
【００３１】
また、
７は下保護カバー６との間の相対回動が可能な形で当該下保護カバーの上端側に取り付けられて、エアゾール式製品の操作部５を収納保護する筒状の上保護カバー，
７ａは当該上保護カバーの内周面上下方向に形成されて、後述の保持移動部材８の回動を阻止するとともにその上下動を案内する計３個の縦溝状部，
７ｂは当該上保護カバーの下端側外周面に形成されて、下保護カバー６に対する周方向への回動が可能な形で外側環凹状部６ｆと係合する内側環凸状部，
７ｃは当該上保護カバーの中央側に形成されて、操作部５の上下動の案内作用を呈する中央筒状部，
７ｄは中央筒状部７ｃの上内端環状部分に形成されて、図１の製品保護モードのとき、操作部５の内側環状逆段部５ｃを受けることにより当該操作部の下方向への移動を阻止する、すなわち内容物噴射状態への移行を阻止するための外側環状段部，
７ｅは下保護カバー６の上横溝状部６ｃに移動した後述の被ガイド凸状部８ｃの上面部分を受ける下端面，
をそれぞれ示している。
【００３２】
また、
８はマウンティングカップ２の環状外側の上端部分と下端部分（アンダーカット２ａ）を保持して上下動しえるカバーであって、利用者が例えば上保護カバー７を固定した状態で下保護カバー６を回動操作するとき、自らの回動が阻止され、かつ、この阻止状態での当該下保護カバーとの間のカム作用により上下動する筒状の保持移動部材，
８ａは当該保持移動部材の内周面上側に形成されて、マウンティングカップ２の環状外側上端部分を係合保持する内向きの環平板状部，
８ｂは当該保持移動部材の内周面下側に形成されて、マウンティングカップ２のアンダーカット２ａを係合保持する内向きの環凸状部，
８ｃは当該保持移動部材の外周面下端部分に三個のカム溝状部６ａのそれぞれに対応する周方向等間隔の離間位置態様で外向きに形成されて、下保護カバーの６の上記回動操作のときに当該カム溝状部に倣いながら上下方向に移動する計三個の被ガイド凸状部， 
８ｄは当該保持移動部材の外周面上下方向に形成されて、上保護カバー７の縦溝状部７ａとの協働により上下動ガイド作用および回動阻止作用を呈する計３個の縦リブ状部，
をそれぞれ示している。
【００３３】
ここで、ハウジング４，操作部５，下保護カバー６，上保護カバー７および保持移動部材８は例えばポリプロピレン，ポリエチレン，ポリアセタール，ナイロン，ポリブチレンテレフタレートなどからなるプラスチック製のものである。
【００３４】
また、マウンティングカップ２は例えば金属製のもので、容器本体１，ステム３は例えばプラスチック製または金属製のものである。
【００３５】
図示の内容物放出製品用カバー機構の基本的特徴は、
(31)容器本体１に取り付けられたマウンティングカップ２の上下外端部分を保持移動部材８で保持し、
(32)保持移動部材８は、図１の製品保護モードにおいて、その被ガイド凸状部８ｃが下保護カバー６の下横溝状部６ｂに、またその縦リブ状部８ｄが上保護カバー７の縦溝状部７ａにそれぞれ位置する状態で配設され、
(33)図１の上保護カバー７を固定して下保護カバー６を所定方向（例えば時計方向）に回動操作するとき、保持移動部材８が、その被ガイド凸状部８ｃへの、下横溝状部６ｂから斜め溝状部６ｄを経て上横溝状部６ｃへといたるカム案内作用により上動して図３の静止モードに移行する、
(34)図３の上保護カバー７を固定して下保護カバー６を上記(33)とは逆方向（例えば反時計方向）に回動操作するとき、保持移動部材８が、その被ガイド凸状部８ｃへの、上横溝状部６ｃから下横溝状部６ｂへといたる同様のカム案内作用により下動して図１の製品保護モードに復帰する、
ことである。
【００３６】
なお、下側開口の下横溝状部６ｂおよび上側開口の上横溝状部６ｃに倣った状態の被ガイド凸状部８ｃの上下内側中間段部６ｇ位置は、それぞれ下保護カバー６の内側中間段部６ｇでの受け作用および上保護カバー７の下端面７ｅでの受け作用により規定される。
【００３７】
すなわち被ガイド凸状部８ｃが下横溝状部６ｂまたは上横溝状部６ｃに倣っている状態での保持移動部材８の上下方向への位置ずれは生じない。
【００３８】
内容物放出製品用カバー機構のさらなる基本的特徴は、
(41)図１の製品保護モードおよび図３の静止モードのそれぞれにおける相手モードへの回動操作の開始，終了感を利用者に与えるための凸状のクリック感生成部６ｅを、下横溝状部６ｂの天井面および上横溝状部６ｃの底面それぞれの斜め溝状部６ｄとの境界部分に形成し、
(42)図１の製品保護モードにおいて、操作部５の内側環状逆段部５ｃと上保護カバー７の外側環状段部７ｄとの受け作用により当該操作部の下方への移動を阻止する、すなわち当該操作部の誤動作を阻止する、
ことである。
【００３９】
上記(33)のように図示のカバー機構は、下保護カバー６の回動操作にともなって保持移動部材８を上下方向に案内するカム溝状部６ａの下端・上端の各周方向部分を、当該上下方向の案内には何ら寄与しない下横溝状部６ｂおよび上横溝状部６ｃで構成している。
【００４０】
そのため、図１の製品保護モードや図３の静止モードの下保護カバー６および上保護カバー７が不用意に相対回動したとしても、この下横溝状部６ｂおよび上横溝状部６ｃの長さの範囲内では保持移動部材８の上下動が阻止される。
【００４１】
すなわち、エアゾール式製品やポンプ式製品を携帯する時などに設定される製品保護モードのロック作動の確実性が高まる。図１の下保護カバー６および上保護カバー７の全体にいわば収納保護されているエアゾール式製品の操作部５が当該上保護カバーから不意に露出するようなことは生じにくい。
【００４２】
また、上記(41)のように図１の製品保護モードと図３の静止モードとの間で下保護カバー６の回動操作をおこなう利用者はクリック感を感じ、それによりモード切換え操作の確実化が図れる。
【００４３】
また、上記(42)のように図１の製品保護モードにおいて操作部５が不用意に押下げられることを阻止している。
【００４４】
これによりカバー機構（下保護カバー６＋上保護カバー７）に全体が収納された状態のエアゾール式製品に対し、その容器本体１の内容物が誤ってノズルチップ５ａの放出口５ｂから外部に噴射されることを防止している。
【００４５】
図４は、図３の静止モードに設定されて上保護カバー７から露出状態の操作部５を押下げ操作したときのエアゾール式製品の作動モードを示している。
【００４６】
この作動モードでの内容物噴射動作自体は周知である。
すなわち、操作部５の押下げ操作にともない、
(51)当該操作部と一体のステム３も周知のコイルスプリングの上方向への弾性付勢力に抗しながら下動して、その孔部とステムガスケットとからなる周知の弁作用部がそれまでの閉状態から開状態に移行し、
(52)容器本体１の収容内容物が、後述の噴射用ガスの作用により、「ハウジング４−開状態の弁作用部−ステム３の周知の内部通路−操作部５の上流側通路部−ノズルチップ５ａの下流側通路部−放出口５ｂ」を経て外部空間域に噴射される。
【００４７】
操作部５の押下げ操作解除にともない、ステム３および操作部５が周知のコイルスプリングの弾性力により上動して周知の弁作用部を開状態から閉状態に設定する。操作部５は図３の静止モードの位置に復帰する。
【００４８】
ポンプ式製品（の周知のカバーキャップ）を保持移動部材８に取り付けた場合にも、その操作部５の押下げ操作により、下流側の吐出弁が開き、その上流側の吸込弁が確実に閉じた内容物放出状態の作動モードに設定される。
【００４９】
この弁設定にともない、ハウジング内部の吐出弁と吸込弁との間の貯留空間域に収容済みの内容物が外部空間域に放出される。
【００５０】
操作部５の押下げ操作が解除されると、エアゾール式製品の場合と同じように操作部５が周知のコイルスプリングの弾性作用により上動して静止モードへ復帰する。
【００５１】
この復帰の際、貯留空間域の内容物圧力が低下して吸込弁が開き、容器本体１から内容物（＝次回の放出対象内容物）がハウジング内部に流入する。このような内容物放出動作自体も周知である。
【００５２】
エアゾール式製品を取付けた状態の図示のカバー機構の組立て手順は、例えば、
(61)マウンティングカップ２を保持移動部材８の環平板状部８ａと環凸状部８ｂとの間に挟持して、エアゾール式製品および保持移動部材８を一体化し、
(62)この一体物を、下保護カバー６にその上方から、保持移動部材８の被ガイド凸状部８ｃが当該下保護カバーの上横溝状部６ｃの真上に位置する形で挿し込み、
(63)次に、上保護カバー７を、下保護カバー６にその上方から当該上保護カバーの縦溝状部７ａが保持移動部材８の縦リブ状部８ｄに合致するように入れて、当該下保護カバーの外側環凹状部６ｆと当該上保護カバー７の内側環凸状部７ｂとを係合させ、
(64)次に、操作部５を上保護カバー７の上開口部に入れてステム３に取り付ける、
となる。
【００５３】
使用済みのエアゾール式製品を図示のカバー機構から取り外すには、上記(61)〜(64)とは逆の順番で、操作部５，上保護カバー７，下保護カバー６および保持移動部材８をそれぞれいわば取り除いていけばよい。
【００５４】
以上の組立て手順および取外し手順がポンプ式製品の場合にも適用されるのは勿論である。
【００５５】
本発明の内容物放出製品用カバー機構が図示の実施形態に限定されるものでないことは勿論であり、例えば、
(71)下保護カバー６を固定した状態で上保護カバー７を回動操作する、
(72)下保護カバー６にカム作用部としての被ガイド凸状部を形成し、これに対応したカム溝状部を保持移動部材８に形成する、
(73)カム作用部（カム溝状部６ａ，被ガイド凸状部８ｃ）の一方を上保護カバー７に、他方を保持移動部材８にそれぞれ形成し、かつ、下保護カバー６の内周面に容器本体１の回動防止用の縦溝状部を形成する、
(74)各種の凸状構成要素（凸状部，リブ状部など）とこれに対応する凹状構成要素（凹状部，溝状部など）との凹凸関係を逆にする、
(75)押下げタイプの操作部５に代えてスパウトタイプの回動操作部を用いる、
ようにしてもよい。
【００５６】
本発明が適用されるポンプ式製品およびエアゾール式製品としては、洗浄剤，清掃剤，冷却剤，筋肉消炎剤，育毛剤，染毛剤，ヘアスタイリング剤，ヘアトリートメント剤，日焼け止め，化粧水，クレンジング剤，制汗剤，化粧品，シェービングフォーム，食品，液滴状のもの（ビタミンなど），医薬品，医薬部外品，園芸用剤，殺虫剤，害虫忌避剤，動物忌避剤，消臭剤，洗濯のり，消火器，塗料，接着剤，潤滑剤，ウレタンフォームなどの各種用途のものがある。
【００５７】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００５８】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，塩化マグネシウム，シリカ，酸化亜鉛，酸化チタン，ゼオライト，ナイロンパウダー，硫酸バリウム，セルロース，これらの混合物などを用いる。
【００５９】
油成分としては、ジメチルポリシロキサンなどのシリコーン油，ミリスチン酸イソプロピルなどのエステル油，パーム油，ユーカリ油，ツバキ油，オリーブ油，ホホバ油などの油脂，流動パラフィンなどの炭化水素油，ミリスチン酸，パルミチン酸，ステアリン酸，リノール酸，リノレン酸などの脂肪酸などを用いる。
【００６０】
アルコール類としては、エタノールなどの１価の低級アルコール，ラウリルアルコールやセタノールなどの１価の高級アルコール，エチレングリコール，１，３−ブチレングリコールやグリセリンなどの多価アルコールなどを用いる。
【００６１】
界面活性剤としては、ラウリル硫酸ナトリウムなどのアニオン性界面活性剤，ポリオキシエチレンアルキルエーテルやポリグリセリン脂肪酸エステルなどの非イオン性界面活性剤，ラウリルジメチルアミノ酢酸ベタインなどの両性界面活性剤，塩化アルキルトリメチルアンモニウムなどのカチオン性界面活性剤などを用いる。
【００６２】
高分子化合物としては、ヒドロキシエチルセルロース，メチルセルロース，ゼラチン，デンプン，カゼイン，キサンタンガム，カルボキシビニルポリマーなどを用いる。
【００６３】
各用途に応じた有効成分としては、パラフェニレンジアミン，アミノフェノールなどの染料，過酸化水素水などの酸化剤，アクリル系樹脂やワックスなどのセット剤，パラメトキシケイ皮酸２−エチルヘキシルなどの紫外線吸収剤，レチノールやｄｌ−α−トコフェロールなどのビタミン，ヒアルロン酸などの保湿剤，サリチル酸メチル，インドメタシンなどの消炎鎮痛剤，安息香酸ナトリウム，クレゾールなどの除菌剤，ピレスロイド，ジエチルトルアミドなどの害虫忌避剤，パラフェノールスルホン酸亜鉛などの制汗剤，カンフル，メントールなどの清涼剤，エフェドリン，アドレナリンなどの抗喘息薬，スクラロース，アスパルテームなどの甘味料，エポキシ樹脂，ウレタンなどの接着剤や塗料，パラフェニレンジアミン，アミノフェノールなどの染料，過酸化水素水などの酸化剤，リン酸二水素アンモニウム，炭酸水素ナトリウム・カリウムなどの消火剤などを用いる。
【００６４】
さらに、上記内容物以外の、懸濁剤，乳化剤，酸化防止剤，金属イオン封鎖剤なども用いることができる。
【００６５】
エアゾール式製品における内容物噴射用ガスとしては、炭酸ガス，窒素ガス，圧縮空気，亜酸化窒素，酸素ガス，希ガス，これらの混合ガスなどの圧縮ガスや、液化石油ガス，ジメチルエーテル，ハイドロフルオロオレフィンなどの液化ガスを用いる。
【符号の説明】
【００６６】
１：容器本体
２：マウンティングカップ
２ａ：アンダーカット
３：ステム
４：ハウジング
５：押下げタイプの操作部
５ａ：ノズルチップ
５ｂ：放出口
５ｃ：内側環状逆段部
【００６７】
６：下保護カバー
６ａ：計三個のカム溝状部
６ｂ：下横溝状部
６ｃ：上横溝状部
６ｄ：斜め溝状部
６ｅ：凸状のクリック感生成部
６ｆ：外側環凹状部
６ｇ：内側中間段部
【００６８】
７：上保護カバー
７ａ：計３個の縦溝状部
７ｂ：内側環凸状部
７ｃ：中央筒状部
７ｄ：外側環状段部
７ｅ：下端面
【００６９】
８：保持移動部材
８ａ：内向きの環平板状部
８ｂ：内向きの環凸状部
８ｃ：計三個の被ガイド凸状部
８ｄ：計３個の縦リブ状部
【図１】
0006355197.tif 000002
【図２】
0006355197.tif 000003
【図３】
0006355197.tif 000004
【図４】
0006355197.tif 000005